(57)【要約】【課題】軽量で、製作および組み立てが容易なエレベータかご天井上巾木装置の提供。【解決手段】エレベータかご天井上巾木装置は、複数の巾木要素で構成され、エレベータかごの頂壁に取り付け、頂壁の頂面の囲むべき囲繞領域を囲んで仕切る。それぞれの巾木要素は、予め用意した合成樹脂製の複数の巾木要素から必要な個数だけ選択したものであり、囲繞領域に沿って配置された係合穴に弾性係合片によって頂壁上に支持されるベースと、ベースから立ち上がって囲繞領域を囲む障壁とを備えている。【効果】軽量になり、製作および組み立てが容易で、安価になる。【選択図】図１
2010202316.tif 000002
【特許請求の範囲】
【請求項１】
複数の巾木要素で構成され、エレベータかごの頂壁に取り付けられて、上記頂壁の頂面の囲むべき囲繞領域を囲んで仕切るエレベータかご天井上巾木装置であって、
それぞれの上記巾木要素が、
上記頂壁上に置かれるベースと、
上記ベースから延びて、上記頂壁に上記囲繞領域の外周に沿って配置された係合穴に弾性的に係合して上記ベースを上記頂壁に固定する弾性係合片と、
上記ベースから延びて、上記頂壁から立ち上がった障壁とを備えたことを特徴とするエレベータかご天井上巾木装置。
【請求項２】
上記巾木要素がすべて同一形状であり、上記係合穴が所定のピッチで配置されていることを特徴とする請求項１に記載のエレベータかご天井上巾木装置。
【請求項３】
上記巾木要素がすべて合成樹脂で作られていることを特徴とする請求項１あるいは２に記載のエレベータかご天井上巾木装置。
【請求項４】
上記弾性係合片がフックであることを特徴とする請求項１〜３のいずれか一項に記載のエレベータかご天井上巾木装置。
【請求項５】
上記巾木要素が、予め用意されたものの中から上記囲繞領域を囲むのに必要な個数だけ選択して組み合わされていることを特徴とする請求項１〜４のいずれか一項に記載のエレベータかご天井上巾木装置。
【請求項６】
上記予め用意された巾木要素が、複数個ずつ分離可能に互いに結合されていることを特徴とする請求項１〜５のいずれか一項に記載のエレベータかご天井上巾木装置。
【発明の詳細な説明】
【技術分野】
【０００１】
本発明はエレベータかご天井上での作業中の安全確保のためにかご天蓋上に設置されるエレベータかご天井上巾木装置に関するものである。
【背景技術】
【０００２】
エレベータかご天井上で据付あるいは保守作業をする際に作業の安全を確保するためにかご天井上に設置する安全柵は広く知られている（例えば特許文献１参照）。
【０００３】
エレベータかご天井上巾木装置は、このような安全柵と共に用いられ、かご天蓋上での作業中に工具が天井上を滑って落下したり、作業者の足が作業場からはみ出したりしないようにして作業の安全を確保するための、一種の防護壁として用いられるものであり、かご天蓋上の作業場を囲むように、かご天蓋に取りつけられる。天井上巾木は作業の安全確保のために必要なものであり、またエレベータの欧州安全規格ＥＮ−８１によっても天蓋上に高さ１００ｍｍの巾木を設置することが要求されており、エレベータ天井構成部品として、必須の部品である。
【先行技術文献】
【特許文献】
【０００４】
【特許文献１】特表２００５−５３２９６６号公報
【発明の概要】
【発明が解決しようとする課題】
【０００５】
しかしながら、エレベータかご天井上巾木装置は、エレベータの据付作業時あるいは保守点検作業時等においてかご天井上での作業が発生する場合にのみ必要なものであって、エレベータ稼働中等のそれ以外の期間には不必要な部品である。また、天井製作時において、天井に天井上巾木を設置する組立には、ネジやリベット等の締結具を使用しており、また巾木の種類(長さ)や取付に要する締結具の数も多く組み立て作業が複雑で時間の掛かるものとなっている。さらに、かごの形状や大きさが多岐に渡るため、様々なかごに合わせた多種類の巾木を設計し、用意し、またかご天蓋側には個々のかごに合わせた巾木取りつけ用の締結具のための穴を設けなければならず、巾木の設置のための作業が繁雑で負担が大きい。
【０００６】
従ってこの発明の目的は、軽量で、製作および組み立てが容易なエレベータかご天井上巾木装置を提供することである。
【課題を解決するための手段】
【０００７】
この発明によれば、複数の巾木要素で構成され、エレベータかごの頂壁に取り付けられて、上記頂壁の頂面の囲むべき囲繞領域を囲んで仕切るエレベータかご天井上巾木装置は、それぞれの上記巾木要素が、上記頂壁上に置かれるベースと、上記ベースから延びて、上記頂壁に上記囲繞領域の外周に沿って配置された係合穴に弾性的に係合して上記ベースを上記頂壁に固定する弾性係合片と、上記ベースから延びて、上記頂壁から立ち上がった障壁とを備えたことを特徴とするものである。
【発明の効果】
【０００８】
この発明によれば、エレベータかご天井上巾木装置を軽量にし、製作および組み立てを容易にし、安価にすることができる。
【図面の簡単な説明】
【０００９】
【図１】この発明のエレベータかご天井上巾木装置の一実施形態を示す概略平面図である。
【図２】図１の線ＩＩ−ＩＩに沿った概略断面図である。
【図３】図１の巾木要素の正面図である。
【図４】図３の巾木要素の側面図である。
【図５】図３の巾木要素の上面図である。
【図６】図３の巾木要素が横一列に並べられて複数個ずつ分離可能に互いに結合されている状態を示す正面図である。
【図７】図６の線ＩＩＶ−ＩＩＶに沿った断面図である。
【図８】図３の巾木要素が縦横に複数個ずつ分離可能に互いに結合されている状態を示す正面図である。
【図９】かご頂壁の係合穴の例を示す概略図である。
【図１０】かご頂壁の係合穴の別の例を示す概略図である。
【発明を実施するための形態】
【００１０】
以下、この発明の実施の形態について説明する。
【００１１】
実施の形態１．
図１はこの発明のエレベータかご天井上巾木装置の一実施形態を示す概略平面図であり、図２は図１の線ＩＩ−ＩＩに沿った概略断面図である。図１および２において、エレベータかご１は、頂壁２と側壁３とを備え、頂壁２の下面４には天井５が設けられている。頂壁２の上面６には、エレベータ据付時あるいは保守点検時に作業員が乗り、工具や部品を置くことがあるため、図に示すように、頂壁２の上面６の作業に必要な領域をエレベータかご天井上巾木装置７で囲んで囲繞領域８を形成し、頂壁２から足を踏み外したり工具等を落下させて作業の安全を脅かさないようにしてある。
【００１２】
エレベータかご天井上巾木装置７は、エレベータかご１の頂壁２の上面６に取り付けられた複数の同一形状の巾木要素９で構成され、頂壁２の上面６の囲むべき囲繞領域８を囲んで仕切っている。エレベータかご１の頂壁２には、囲繞領域８の外周に沿って一定ピッチでほぼ正方形の複数の係合穴１０が設けられている（図９も参照）。
【００１３】
図３〜５に示すように、エレベータかご天井上巾木装置７のそれぞれの巾木要素９は、押し出しまたは成型により合成樹脂で作られており、頂壁２上に配置される矩形板状のベース１１と、このベース１１から延びて、頂壁２の係合穴１０に弾性的に係合してベース１１を頂壁２に固定するフックである弾性係合片１２と、ベース１１から直角に頂壁２から立ち上がるように延びた矩形板状の障壁１３とを備えている。ベース１１と障壁１３との間には、リブ状の補強材１４が設けてある。弾性係合片１２は、頂壁２の係合穴１０に圧入されたときフックが弾性変形して頭部が係合穴１０を通り抜け、通り抜けた頭部が頂壁２の下面４に係合して抜け出ることがないようにされている（図２参照）。
【００１４】
図示の例では一つの巾木要素９に２つの弾性係合片１２が設けられていて、頂壁２の２つの係合穴１０に弾性的に係合するようにしてあり、エレベータかご１の奥行き方向には４つの巾木要素９が用いられ、背面の巾方向には３つの巾木要素９が用いられている。各巾木要素９の間には数センチの間隙があっても問題ない。エレベータかご天井上巾木装置１を構成するのに使用する巾木要素９の数は、適用するエレベータかご１の形状および寸法によって適宜決定する。この場合、予め作製して用意しておいた多数の巾木要素９の中から、上述の頂壁２の囲繞領域８を囲むのに必要な個数だけ選択して組み合わせて使用すると、特に製作コストが低減でき、また様々な形状および寸法のエレベータかご１に容易に対応できる。
【００１５】
図６には、連結部１５で互いに連結されて一体のものとして成型により製作された４つの巾木要素９を備えた巾木要素ユニット１６を示す。この巾木要素ユニット１６においては、４つの巾木要素９が行方向（すなわち図において横方向）に一列に並んでおり、連結部１５は図７の断面図に示すように例えばＶ字型の切り込みなどによって厚さが薄くされていて、手で折り曲げたり引きちぎることにより容易に切断することができる。このような巾木要素ユニット１６を多数用意しておいて現場で切断して必要な数だけ使用することができる。
【００１６】
図８に示す巾木要素ユニット１７は、４つの巾木要素９が行方向（横方向）および列方向（縦方向）に２列ずつに並べられ、並んだ４つの巾木要素９を囲む枠部１８を介して連結部１９によって互いに連結されている。
【００１７】
図９および１０には、エレベータかご１の頂壁２に設けられ、囲繞領域８の外周に沿って一定ピッチで配置された複数の係合穴１０および２０が示してある。図９の係合穴１０はほぼ正方形であり、図１０の係合穴２０は円形である。
【００１８】
以上に説明したように、この発明のエレベータかご天井上巾木装置によれば、エレベータかご１の形状あるいは寸法に合わせて必要数の巾木要素９を頂壁２の係合穴１０に弾性係合片１２を用いて取り付けることができ、作業を単純で簡素にできる。また、合成樹脂を用いればエレベータかご１あるいは頂壁２の重量を低減することができ、さらに鋼材高騰によるコストアップを抑制することができる。
【００１９】
以上に図示して説明したエレベータかご天井上巾木装置は単なる例であって様々な変形が可能であり、またそれぞれの具体例の特徴を全てあるいは選択的に組み合わせて用いることもできる。例えば、図６のユニット１６を分離せずにそのまま頂壁２に取り付けることもできる。連結部１５の横方向寸法および係合穴１０のピッチを適切に選択し製作しておけば、巾木要素ユニット１６を切断せずに８つの弾性係合片１２をそのまま頂壁２の８つの係合穴１０に圧入して、エレベータかご天井上巾木装置の一部として使用することもできる。また、巾木要素９を金属製とした場合でも、固定作業が容易な弾性係合片１２を用いることによる組み立て作業性の向上が損なわれるものではない。
【産業上の利用可能性】
【００２０】
この発明はエレベータかご天井上巾木装置に利用できるものである。
【符号の説明】
【００２１】
１  天井上巾木装置、２  頂壁、３  側壁、４  下面、５  天井、６  上面、７  天井上巾木装置、８  囲繞領域、９  巾木要素、１０、２０  係合穴、１１  ベース、１２  弾性係合片、１３  障壁、１４  補強材、１５、１９  連結部、１６、１７  巾木要素ユニット、１８  枠部。
【図１】
2010202316.tif 000003
【図２】
2010202316.tif 000004
【図３】
2010202316.tif 000005
【図４】
2010202316.tif 000006
【図５】
2010202316.tif 000007
【図６】
2010202316.tif 000008
【図７】
2010202316.tif 000009
【図８】
2010202316.tif 000010
【図９】
2010202316.tif 000011
【図１０】
2010202316.tif 000012